(57)【特許請求の範囲】
【請求項１】
容器本体と、上記容器本体の首部に着脱自在に取付けられた蓋体と、上記蓋体に設けられたノズルを備え、上記容器本体の内部に、発泡成分を含有した洗浄液が収容され、上記蓋体の内部に第１の液体通路が形成され、この第１の液体通路に、容器本体内の圧力が設定値を越えると容器本体内のガスを外部に放出して容器本体内の圧力を上記設定圧力に調整する圧力調整弁が設けられ、上記蓋体に、上記第１の液体通路の開閉を行う手動式の開閉弁が取付けられ、上記ノズルの内部に、上記第１の液体通路に連通する第２の液体通路が形成され、この第２の液体通路の先端にノズル口が設けられ、上記圧力調整弁が、円筒状の本体とボールと圧力調整用スプリングとからなり、上記本体の下部に、ボールを落下防止状に収容する漏斗状部分が形成され、上記圧力調整用スプリングの弾圧付勢力によりボールが漏斗状部分の内周面に押圧されてボールの外周面が漏斗状部分の内周面に当接して閉弁され、容器本体内の圧力が設定値を越えると、ボールが圧力調整用スプリングの弾圧付勢力に抗して上昇し、上記漏斗状部分の内周面から離れて開弁し、容器本体内のガスを上記本体の中空部分，上記第１の液体通路を通して外部に放出して容器本体内の圧力を上記設定圧力に調整するように構成していることを特徴とする携帯用洗浄器。
【発明の詳細な説明】
【０００１】
【発明の属する技術分野】
この発明は、尻部の洗浄液等各種の洗浄液を吐出する携帯用洗浄器に関するものである。
【０００２】
【従来の技術】
最近、便所等で用を足したのち尻部（肛門およびその周囲をいう、以下同じ）を拭く際に、トイレットペーパー等の紙で拭くのではなく、水で洗浄できるようにした洗浄器が見受けられる。このような水による洗浄は、便器に、尻部にめがけて水を飛ばせるようにした装置を取付けることで行えるものであり、尻部をきれいに洗うことができるうえ、紙で尻部を拭くよりも気持ち良く、しかも尻部の肌等を傷めることもないことから、各種施設や一般の家庭にも随分と普及してきている。
【０００３】
【発明が解決しようとする課題】
ところが、上記の装置が取付けられていない便器もまだまだ多くあり、そのような便器で用を足す場合には、トイレットペーパー等の紙で尻部を拭かなければならないため、水で尻部を洗浄することになれた人にとっては、不快感や不潔感を感じることがよくある。そこで、どこにでも持ち運ぶことができ、手軽に尻部等を水で洗浄することができる携帯式の洗浄装置が要望されており、このようなものとして電動式の洗浄装置が提案されている。しかしながら、この電動式の洗浄装置は、構造が複雑で、しかも、高価であるという問題がある。そこで、携帯用として用いることができ、しかも、構造が簡単で、安価な洗浄装置の実現が強く要望されている。
【０００４】
この発明は、このような事情に鑑みなされたもので、構造が簡単で、安価であり、しかも、洗浄液の吐出勢いを適正に保持することのできる携帯用洗浄器の提供をその目的とする。
【０００５】
【課題を解決するための手段】
上記の目的を達成するため、この発明の携帯用洗浄器は、容器本体と、上記容器本体の首部に着脱自在に取付けられた蓋体と、上記蓋体に設けられたノズルを備え、上記容器本体の内部に、発泡成分を含有した洗浄液が収容され、上記蓋体の内部に第１の液体通路が形成され、この第１の液体通路に、容器本体内の圧力が設定値を越えると容器本体内のガスを外部に放出して容器本体内の圧力を上記設定圧力に調整する圧力調整弁が設けられ、上記蓋体に、上記第１の液体通路の開閉を行う手動式の開閉弁が取付けられ、上記ノズルの内部に、上記第１の液体通路に連通する第２の液体通路が形成され、この第２の液体通路の先端にノズル口が設けられ、上記圧力調整弁が、円筒状の本体とボールと圧力調整用スプリングとからなり、上記本体の下部に、ボールを落下防止状に収容する漏斗状部分が形成され、上記圧力調整用スプリングの弾圧付勢力によりボールが漏斗状部分の内周面に押圧されてボールの外周面が漏斗状部分の内周面に当接して閉弁され、容器本体内の圧力が設定値を越えると、ボールが圧力調整用スプリングの弾圧付勢力に抗して上昇し、上記漏斗状部分の内周面から離れて開弁し、容器本体内のガスを上記本体の中空部分，上記第１の液体通路を通して外部に放出して容器本体内の圧力を上記設定圧力に調整するように構成しているという構成をとる。
【０００６】
すなわち、この発明の携帯用洗浄器は、使用時には、ノズルのノズル口を尻部等の目標に向け、その状態で、手動により開閉弁を開弁することが行われる。これにより、容器本体の内部の洗浄液が、この洗浄液から発泡したガスの圧力により押圧されて、第１および第２の液体通路を通ってノズル口から噴出し、尻部等の目標に向かって吐出され、例えば尻部をきれいに洗浄する。このように、この発明の携帯用洗浄器は、発泡成分を含有した洗浄液が収容された容器本体と、ノズルを設けた蓋体とからなり、ノズルのノズル口を尻部等の目標に向け、蓋体に取付けた開閉弁を手動で開弁するだけで、例えば尻部の洗浄等を行うことができる。したがって、この携帯用洗浄器は、携帯して手軽に持ち運ぶことができるうえ、構造が簡単であり、安価でもある。しかも、第１の液体通路に圧力調整弁を設け、容器本体内の圧力が設定値を越えると容器本体内のガスを外部に放出して容器本体内の圧力を設定圧力に調整することができるようにしている。このため、容器本体内の圧力が異常に上昇することがなく、洗浄液の吐出勢いを適正に調整することができる。
【０００７】
この発明に用いる洗浄液としては、発泡成分を含有する錠剤等を水に添加したものが用いられる。上記錠剤としては、炭酸塩と有機酸の重量比が１：４〜４：１からなるガス発泡剤を錠剤組成物の全量に対して１０〜９０重量％含有し、界面活性剤を上記全量に対して０．０５〜１０重量％含有したものが用いられる。
【０００８】
上記ガス発泡剤は、炭酸塩と有機酸とからなるものである。上記炭酸塩としては、例えば炭酸ナトリウム，炭酸カリウム，炭酸アンモニウム，炭酸水素ナトリウム，炭酸水素カリウム，炭酸水素アンモニウム等が挙げられる。これらは一種または二種以上を混合して用いることができる。また、上記有機酸としては、例えばクエン酸，コハク酸，フマル酸，マレイン酸，シュウ酸，クロトン酸，安息香酸，乳酸，リンゴ酸，アジピン酸等が挙げられる。これらは一種または二種以上を混合して用いることができる。
【０００９】
上記炭酸塩と有機酸との配合割合は、重量比で１：４〜４：１の範囲内に設定される。好ましい配合割合は、５０倍量の水に溶解した時のｐＨが３．０〜７．０になる範囲であり、この範囲を越えると肛門部への刺激が強かったり、発泡性が損なわれたりして、本発明の効果が充分に発揮されない。炭酸塩と有機酸からなる発泡剤の配合量は、通常、この錠剤中に１０〜９０重量％の割合で配合される。
【００１０】
上記界面活性剤としては、通常、洗剤として一般に市販されている粉末状の界面活性剤が適宜用いられる。粉末状の界面活性剤を用いる理由は、この錠剤を安定的に製造するためであり、水溶液に溶解した界面活性剤は製剤の安定性上好ましくない。これら界面活性剤の種類としては、ノニオン性，アニオン性，カチオン性，両性のいずれでもよく、特にノニオン性界面活性剤およびアニオン性界面活性剤が望ましい。
【００１１】
望ましい界面活性剤の具体例としては、アルキル硫酸塩型界面活性剤，アルキルエーテル硫酸塩型界面活性剤，α−オレフィンスルホン酸塩型界面活性剤，リン酸エステル型界面活性剤，アルキルエーテルカルボン酸塩型界面活性剤，アミノ酸塩型界面活性剤（サルコシン塩型，β−アラニン塩型，グルタミン酸塩型，アスパラギン酸塩型等），スルホコハク酸塩型界面活性剤，タウリン型界面活性剤等のアニオン性界面活性剤，スルホベタイン型両性界面活性剤，アルキルベタイン型両性界面活性剤，アミドプロピルベタイン型両性界面活性剤，イミダゾリニウムベタイン型両性界面活性剤等の両性界面活性剤，ジステリアリルジメチルアンモニウムクロライド，ステアリルトリメチルアンモニウムクロライド，ジベヘニルジヒドロキシアンモニウムクロライド，ベンザルコニウムクロライド，エチル硫酸ラノリン脂肪酸アミノプロピルジメチルアンモニウム等のカチオン性界面活性剤，ポリオキシエチレンアルキルエーテル，ポリオキシプロピレンアルキルエーテル，グリセリン脂肪酸エステル，ポリグリセリン脂肪酸エステル，ソルビタン脂肪酸エステル等のノニオン性界面活性剤等が挙げられる。これらの界面活性剤は、一種または二種以上を混合して用いることができ、通常、この錠剤中に０．０５〜１０重量％配合される。０．０５重量％より少ないと洗浄性が低下し、１０重量％を越えると炭酸塩の安定性および使用後の皮膚刺激が発生するため好ましくない。
【００１２】
この錠剤は、所望により、錠剤形成に一般に配合される成分、例えばデンプン，ヒドロキシプロピルセルロース，カルボキシメチルセルロース，結晶セルロース，ポリエチレングリコール等の結合剤，塩化ナトリウム，硫酸ナトリウム等の無機塩，金属イオン封鎖剤，殺菌剤，抗炎症剤，ｐＨ調整剤，酸化防止剤，色素および香料等を含むことができる。このようにして得られた組成物は、通常用いられているダブレット成形法に従って容易に錠剤化することができる。この錠剤は、使用する際に水に添加して行われるが、その際の錠剤と水との混合重量比は１：２００〜１：１０の範囲が好ましい。この範囲外では充分な噴射力を得ることができなかったり、溶解性および圧力が異常に上昇して本発明の効果が充分に発揮されない。
【００１３】
【発明の実施の形態】
つぎに、この発明の実施の形態を図面にもとづいて説明する。
【００１４】
図１はこの発明の一実施の形態を示す携帯用洗浄器の断面図であり、図２は左側面図である。図において、１は容器本体であり、２がキャップであり、３はキャップ２に回動自在に取付けられたノズル（図３参照）である。上記容器本体１は、洗浄液４が収容された胴部１ａと、外周面にねじ部１ｃが形成された首部１ｂとからなる。上記洗浄液４は、水に炭酸水素ナトリウム（ＮａＨＣＯ3 ）からなる錠剤〔この錠剤には、その表面に水溶性のＰＶＡ（ポリビニルアルコール）がコーティングされたものであり、水に入れた際にコーティングされたＰＶＡによりすぐに溶解しないようにしている〕を溶解させて得られたものであり、容器本体１の上部空間には上記洗浄液４から発泡したガス４ａが充満している。
【００１５】
上記キャップ２は、その蓋本体５にノズル３，押しボタン６，開閉用スプリング７，弁体８および圧力調整弁９を設けたもので構成されている。上記蓋本体５は、図４に示すように、有天円筒状に形成されており、その周壁の内周面に、上記容器本体１の首部１ｂのねじ部１ｃにねじ結合するねじ部５ａが形成されている。また、上記蓋本体５の天井壁５ｂの下面中央から円筒状の下側内壁２０が垂下しており、この下側内壁２０の中空部分に対応する上記天井壁５ｂの部分に、中央貫通穴２１が形成されている。また、上記天井壁５ｂの上面から、上記中央貫通穴２１と同心状に内外両壁２２，２３が立設されており、これら上側外壁２２および上側内壁２３に押しボタン６が上下摺動自在に取付けられている。図において、２３ａは蓋本体５の上側内壁２３の上端部内周面に形成された突条である。
【００１６】
一方、上記天井壁５ｂの内部には、中央貫通穴２１から外側に向かって一直線状に延びる通路２５（洗浄液の通路とガスの通路を兼用している）が形成されており、この通路２５の先端がノズル取付け部２６に開口している。このノズル取付け部２６は、一横側面および下面が開放されているとともに、上壁が上向き傾斜状の傾斜壁に形成されており、この傾斜壁の内側面に３条の係合溝２７が形成されている。また、上記ノズル取付け部２６の相対向する側壁２６ｂに一対の係合穴２６ａが穿設されており、これら両係合穴２６ａに後述するノズル３のヒンジ軸３１ａが回動自在に係合している。図において、２８はＯリング３３取付け用段部である。
【００１７】
上記ノズル３には、その内部に、小径穴３ａとこれに続く大径穴３ｂが貫通状に穿設されており、この大径穴３ｂに取付けられたノズル管３０と上記小径穴３ａで一直線に延びる洗浄液通路（第２の洗浄液通路）が形成されている。また、上記ノズル３には、その根元部に略３／４円弧状に形成された円盤状回動部３１が形成されており、この回動部３１の周面に１条のガス抜き溝３２が形成されている。そして、ノズル３を垂下させた状態では、上記小径穴３ａが上記天井壁５ｂの通路２５に連通せず、上記ガス抜き溝３２が上記通路２５に連通している。この状態で、上記ガス抜き溝３２はＯリング３３からはみ出ており、このガス抜き溝３２を介して上記通路２５が外部に連通している。一方、ノズル３を所定角度回転させた状態では（図５参照）、上記小径穴３ａが、上記段部２８に嵌着されたＯリング３３内に位置した状態で上記通路２５に連通しており、上記Ｏリング３３で上記通路２５から流出する洗浄液４の洩れを防止している。一方、上記ガス抜き溝３２は上記通路２５に連通していない。また、上記回動部３１には、その両横側面に、上記ノズル取付け部２６の係合穴２６ａに回動自在に係合する一対のヒンジ軸３１ａが突設されている（図２参照）。図１において、３０ａはノズル管３０の先端に穿設されたノズル口である。また、図４において、３４ａ，３４ｂは回動部３１の外周面に形成された凸部であり、一方の凸部３４ａはノズル３を垂下させたときに上記係合溝２７の１つに係合し、他方の凸部３４ｂはノズル３を所定角度回転させたときに上記係合溝２７の１つに係合し、これにより、各係合状態でノズル３を位置決め固定している。
【００１８】
また、上記押しボタン６は、有天円筒状に形成されており、その天井壁６ａの下面から円筒状の内壁６ｂが垂下している。この内壁６ｂの下端部外周面に、上記蓋本体５の上側内壁２３の内周面に気密状に当接する突条２４が形成されており、この突条２４が上記上側内壁２３の突条２３ａに抜け止め状に係合しうるようにしている。また、上記両突条２３ａ，２４により、上記押しボタン６と蓋本体５の中央貫通穴２１との気密状態を保持している。一方、上記弁体８は、それ自体の上部が上記押しボタン６の内壁６ｂに内嵌している棒状円柱部１０と、この棒状円柱部１０の下端部から下側に向かって拡がる円錐台状中空部１１（この円錐台状中空部１１の内周面も、下側に向かって拡がる円錐台状に形成されている）と、この円錐台状中空部１１の下端部に設けられた環状天井壁１２ａ付き円筒状部１２からなり、上記棒状円柱部１０が上記下側内壁２０の中空部分および天井壁５ｂの中央貫通穴２１に上下方向に摺動自在に配設されている。これら下側内壁２０の中空部分および天井壁５ｂの中央貫通穴２１は上記棒状円柱部１０よりやや大径に形成されており、これにより、上記棒状円柱部１０の外周面と下側内壁２０の中空部分の内周面および天井壁５ｂの中央貫通穴２１の内周面との間に通路（洗浄液の通路とガスの通路を兼用している）が形成されている。また、上記棒状円柱部１０の下面に、それ自体の下面開口が円錐台状中空部１１の上面開口に連通している第１ガス抜き路（凹部）１３ａが形成されているとともに、この第１ガス抜き路１３ａの上端部から２本の第２ガス抜き路１３ｂが水平に延びており、両第２ガス抜き路１３ｂがそれぞれ上記棒状円柱部１０の外周面に開口している。
【００１９】
上記開閉用スプリング７は、上記蓋本体５の天井壁５ｂと押しボタン６の天井壁６ａとの間に配設されており、上記押しボタン６を上方に弾圧付勢している。そして、上記開閉用スプリング７の弾性付勢力により押しボタン６が上方に押圧されている状態では、上記蓋本体５の下側内壁２０の下端部内周面に上記弁体８の円錐台状中空部１１の外周面が当接し、液密状態が保持されている（この当接状態が、弁体８の閉弁状態である）。また、上記開閉用スプリング７の弾圧付勢力に抗して押しボタン６を手指で押圧すると、図５に示すように、この押しボタン６の内壁６ｂに取付けられた弁体８が下降し、上記下側内壁２０の下端部内周面から弁体８の円錐台状中空部１１の外周面が離れ、開弁する。
【００２０】
一方、上記圧力調整弁９は、円筒状の本体１５とボール１６と圧力調整用スプリング１７からなり、上記本体１５の上部が、上記弁体８の円筒状部１２の周壁とこの円筒状部１２の環状天井壁１２ａの内周部下面から垂下する内壁との間に気密状に嵌入している。このような本体１５には、その下部に、ボール１６を落下防止状に収容する漏斗状部分１５ａが形成されているとともに、この漏斗状部分１５ａより上側部分の内周面が、上記ボール１６の直径よりやや大径に形成されている。また、上記圧力調整用スプリング１７が上記円錐台状中空部１１の内周面とボール１６の上周面との間に配設されており、上記圧力調整用スプリング１７の弾圧付勢力によりボール１６が漏斗状部分１５ａの内周面に押圧され、ボール１６の外周面が漏斗状部分１５ａの内周面に当接し、気密状態を保持している（この当接状態が、圧力調整弁９の閉弁状態である）。このような圧力調整用スプリング１７は、その弾圧付勢力が所定値に設定されており、容器本体１内が異常高圧になる（上記所定値を越える）と、ボール１６が圧力調整用スプリング１７の弾圧付勢力に抗して上昇し、上記漏斗状部分１５ａの内周面から離れ、開弁する（図６参照）。
【００２１】
上記構成において、使用時には、まず、図７に示すように、容器本体１を逆さまにし、ついで、ノズル管３０を回転させて所望の角度に設定し（この状態で、ノズル３の小径穴３ａが蓋本体５の天井壁５ｂの通路２５に連通する）、このノズル管３０のノズル口３０ａを尻部（図示せず）に向けて位置決めし、つぎに、押しボタン６を押すことが行われる。これにより、弁体８が開弁されて、洗浄液４が蓋本体５の下側内壁２０の中空部分，中央貫通穴２１，天井壁５ｂの通路２５に流れ込んだのち、ノズル３の小径穴３ａ，ノズル管３０に流れ込み、ガス４ａの圧力で押圧されてノズル口３０ａから噴出する。そして、洗浄液４で尻部が洗浄される。このような１回の使用により、洗浄液４を使いきったのちは、キャップ２を取外して、容器本体１内に水を入れ、錠剤を放り込む。そして、錠剤が溶解する前にキャップ２を容器本体１に取付ける。これにより、容器本体１内の上部空間にガス４ａが充填されるようになり、次の使用に備える。
【００２２】
また、容器本体１の内圧が異常に上昇して設定圧力を越えると、この圧力でボール１６が上方に押圧され、圧力調整用スプリング１７の弾圧付勢力に抗して上昇し、上記漏斗状部分１５ａの内周面から離れ、開弁する。その結果、容器本体１内のガス４ａが、上記本体１５の中空部分，円錐台状中空部１１の中空部分，第１ガス抜き路１３ａおよび両第２ガス抜き路１３ｂを通ったのち、蓋本体５の下側内壁２０の中空部分，中央貫通穴２１，天井壁５ｂの通路２５に流れ込み、ノズル３のガス抜き溝３２から大気中に放出される。これにより、容器本体１内の圧力が設定圧力に保たれる。
【００２３】
このように、この携帯用洗浄器は、小形であり、携帯して手軽に持ち運ぶことができる。しかも、構造が簡単であり、安価でもある。さらに、圧力調整弁９を設けているため、容器本体１の内圧が異常に上昇することがなく、洗浄液４の噴射圧を適正に保持することができる。そのうえ、ノズル３の回動部３１にガス抜き溝３２を設け、尻部の洗浄時にガス抜き溝３２が上記天井壁５ｂの通路２５に連通しないようにしているため、このガス抜き溝３２から洗浄液４が洩れることがない。
【００２４】
上記の携帯用洗浄器の機能性についてテストし、噴射圧力（ｋｇ／ｃｍ2 ），噴射量（ｍｌ）および噴射時間（Ｓｅｃ）を調べた。このテストに際し、容器本体１として、直径４０ｍｍ，高さ１４０ｍｍの缶（空状態で１５８ｍｌの充填容量を有する）を用い、錠剤として、炭酸水素ナトリウムとクエン酸の混合剤（このものは、ガスとして炭酸ガスを発生する）を用いた。また、缶内圧力を２ｋｇ／ｃｍ2 ，３ｋｇ／ｃｍ2 ，４ｋｇ／ｃｍ2 に設定し、それぞれの場合において、直径が０．５ｍｍ，０．６ｍｍ，０．８ｍｍの３種類のノズル口３０ａから洗浄液４を噴射し、この時の噴射時間（Ｓｅｃ），残量（ｍｌ）および残ガス圧力（ｋｇ／ｃｍ2 ）を調べた。その結果を下記の表１および表２に示す。上記のような携帯用洗浄器では、その噴射量は、携帯性，使用上を考慮して１００ｍｌが好ましいと考えられており、また、噴射時間は、使用実感として３０Ｓｅｃが好ましいと考えられている。このため、上記テスト結果から、噴射圧力は３ｋｇ／ｃｍ2 程度が好ましいと考えられる。
【００２５】
【表１】
0003562905.tif 000002
【００２６】
【表２】
0003562905.tif 000003
【００２７】
なお、上記各実施の形態では、錠剤の表面に水溶性のＰＶＡをコーティングしているが、これに限定するものではなく、糖衣等をコーティングしてもよいし、その他、溶解時間を遅延させることができるものであれば、どのようなものでもよい。このような錠剤はアルミニウム製袋に入れて持ち運ばれる。
【００２８】
【発明の効果】
以上のように、この発明の携帯用洗浄器は、発泡成分を含有した洗浄液が収容された容器本体と、ノズルを設けた蓋体とからなり、ノズルのノズル口を尻部等に向け、蓋体に取付けた開閉弁を手動で開弁するだけで、尻部等の目標に向けて内部の洗浄液を吐出することができる。したがって、この携帯用洗浄器は、携帯して手軽に持ち運ぶことができるうえ、構造が簡単であり、安価でもある。そのうえ、第１の液体通路に、容器本体の内圧が設定値を越えると容器本体内のガスを外部に放出して容器本体内を所定の圧力に調整する圧力調整弁が設けられている場合には、容器本体内の圧力を所定圧力に調整することができる。したがって、容器本体内の圧力が異常に上昇することがなく、洗浄液の吐出勢いを適正に調整することができる。
【図面の簡単な説明】
【図１】この発明の一実施の形態の携帯用洗浄器を示す断面図である。
【図２】上記携帯用洗浄器の側面図である。
【図３】上記携帯用洗浄器のノズル管の作用を示す説明図である。
【図４】上記携帯用洗浄器の要部の拡大断面図である。
【図５】上記携帯用洗浄器の弁体の開弁状態を示す要部の拡大断面図である。
【図６】上記携帯用洗浄器の圧力調整弁の開弁状態を示す要部の拡大断面図である。
【図７】上記携帯用洗浄器の使用状態を示す断面図である。
【符号の説明】
１  容器本体
２  キャップ
３  ノズル
４  洗浄液
６  押しボタン
８  弁体
【図１】
0003562905.tif 000004
【図２】
0003562905.tif 000005
【図３】
0003562905.tif 000006
【図４】
0003562905.tif 000007
【図５】
0003562905.tif 000008
【図６】
0003562905.tif 000009
【図７】
0003562905.tif 000010